(57)【要約】【課題】  コンテナに限定することなく、一般雑貨、鋼材等も搭載可能な多用途トレーラの提供を目的とする。【解決手段】  平床の物品搭載部１２と、物品搭載部１２に着脱可能に取り付けられる架台１６と、けん引車１３に連結される連結部１５とを備えてなる多用途トレーラ１１であって、物品搭載部１２の上面および連結部１５の上面には、コンテナ底部に設けた隅金具と着脱可能に緊締係合する緊締金具２１ａ〜２１ｈが隅金具と緊締係合可能な位置に設けられ、架台１６には、隅金具を下部に、緊締金具を上部にして組合わされた隅金具付緊締金具３３ａ〜３３ｆが、物品搭載部１２の上面に設けられた緊締金具２１ａ〜２１ｆと緊締係合可能な位置に設けられてなり、物品搭載部１２に取り付けられた架台１６の上面と、連結部１５の上面とが、同一のコンテナを載置できる程度の平坦状態になることを特徴とする。【選択図】図１
2009001220.tif 000002
【特許請求の範囲】
【請求項１】
平床の物品搭載部と、該物品搭載部に着脱可能に取り付けられる架台と、けん引車に連結される連結部とを備えてなる多用途トレーラであって、
前記物品搭載部の上面および前記連結部の上面には、コンテナ底部に設けた隅金具と着脱可能に緊締係合する緊締金具が前記隅金具と緊締係合可能な位置に設けられ、
前記架台には、前記隅金具を下部に前記緊締金具を上部にして組合わされた隅金具付緊締金具が、前記物品搭載部の上面に設けられた緊締金具と緊締係合可能な位置に設けられてなり、
前記物品搭載部に取り付けられた前記架台の上面と、前記連結部の上面とが、同一のコンテナを載置できる程度の平坦状態になることを特徴とする多用途トレーラ。
【請求項２】
前記架台は、前記多用途トレーラの前後方向に設けられた一対の縦フレームと、該縦フレームと直交して取り付けられた横はり部とを備えてなる構造体であることを特徴とする請求項１に記載の多用途トレーラ。
【請求項３】
前記架台は、前記多用途トレーラの前後方向に設けられた一対の縦フレームと、該縦フレームと直交して取り付けられた横はり部とを備えてなる、３分割された構造体であって、該構造体のそれぞれに一対の前記隅金具付緊締金具が設けられていることを特徴とする請求項２に記載の多用途トレーラ。
【請求項４】
前記３分割された構造体は、多用途トレーラの前記連結部に収納取り付け可能であることを特徴とする請求項３に記載の他用途トレーラ
【請求項５】
前記物品搭載部の両側端部および後端部には、前記物品搭載部の側壁部となる方形状の板部材である煽り板が軸着されていることを特徴とする請求項１ないし４のいずれか一項に記載の他用途トレーラ。
【発明の詳細な説明】
【技術分野】
【０００１】
本発明は、コンテナ、一般雑貨および鋼材等の運搬搭載を可能とする多用途トレーラに関するものである。
【背景技術】
【０００２】
コンテナ用トレーラは、コンテナを載置するコンテナ載置部と、けん引車であるトラクタに連結される連結部（いわゆるグースネック部）とから構成されている。
【０００３】
そして近年の輸送量の増大に伴い、例えば４０フィートコンテナのように長大なコンテナを載置する必要が生じたが、コンテナトレーラとトラクタを含めた全体の長さには道路事情等から制限が設けられている。そのため、図６（（ａ）は平面図、（ｂ）は正面図、図では、けん引車であるトラクタを省略し、コンテナ用トレーラ１０５は、一対の伸縮式補助脚１０６ａ、１０６ｂを使用して自立した状態を示している。）に示すように、コンテナの載置部１０１と連結部１０２との段差を僅少にして、連結部１０２にまでコンテナ１０３（図６（ｂ）中、鎖線で示す）を載置することで全体の長さを抑えたコンテナ用トレーラ１０５が提供されている。すなわち、連結部１０２の立ち上がりの寸法をコンテナ１０３の下部に設けた開口部分であるトンネルリセスに合わせることで、上記したようにグースネック部分にまでコンテナを載置することが可能となったものである。
【０００４】
一方、一般雑貨や鋼材等の運搬に使用される平床式のトレーラとして、図７（（ａ）は平面図、（ｂ）は正面図、同じく図では、けん引車であるトラクタを省略し、トレーラは、一対の伸縮式補助脚１１６ａ、１１６ｂを使用して自立した状態を示している）に示すものが提供されている。この平床式のトレーラ１１１は、搭載荷物の搬出入の便宜のために、連結部１１２との段差を大きくして平床１１３の部分を低く設定し、さらに運搬の安全性を考慮して、煽り１１５と呼ばれる上下に回動可能な側板が周囲に垂直に設けられている。
【０００５】
上記したように、トレーラはその用途に合わせて作られているものの、用途ごとにトレーラを異にするので、コンテナのほかに一般雑貨や鋼材等をも運搬する事業者にとっては使い勝手の良いものとはいえない。
【０００６】
このような事情から、トレーラに積み込み装置を設置して、搭載荷物の搬出入の使い勝手を向上させたものが提案されている（例えば、特許文献１参照）。この積み込み装置は、トラクタとトレーラとにコンテナ移動用のレールを設置してウインチによりワイヤを引いて、コンテナを移動させるものである。
【０００７】
これによりコンテナを前方又は後方に任意に移動させることができ、さらにコンテナの前後端に荷物搬入搬出用の扉を備えることで、コンテナの前後方向に制限されることなく、トラクタ及びトレーラに任意に積み込み及び積み下ろしができるものである。
【特許文献１】特開平０７−２５７４４１号公報
【発明の開示】
【発明が解決しようとする課題】
【０００８】
しかしながら、上記した特許文献１に記載の輸送車両は、コンテナを搭載する場合の使い勝手の向上を図ったものであって、搭載荷物の種類を変えた場合にも適用できるトレーラ等を提供するものではない。
【０００９】
本発明は、コンテナに限定することなく、一般雑貨、鋼材等も搭載可能な多用途トレーラの提供を目的とする。
【課題を解決するための手段】
【００１０】
本発明は、平床の物品搭載部を有するトレーラの、当該物品搭載部に架台を着脱可能に取り付けるとともに、緊締装置とその配置に工夫を加えることで、前記課題の解決を図ったものである。
【００１１】
すなわち、前記目的を達成するために本発明が提案するものは、平床の物品搭載部と、該物品搭載部に着脱可能に取り付けられる架台と、けん引車に連結される連結部とを備えてなる多用途トレーラであって、前記物品搭載部の上面および前記連結部の上面には、コンテナ底部に設けた隅金具と着脱可能に緊締係合する緊締金具が前記隅金具と緊締係合可能な位置に設けられ、前記架台には、前記隅金具を下部に前記緊締金具を上部にして組合わされた隅金具付緊締金具が、前記物品搭載部の上面に設けられた緊締金具と緊締係合可能な位置に設けられてなり、前記物品搭載部に取り付けられた前記架台の上面と、前記連結部の上面とが、同一のコンテナを載置できる程度の平坦状態になることを特徴とする多用途トレーラである。
【００１２】
このように平床の物品搭載部を備えたトレーラであるから、前記架台を取り付けなければ、一般雑貨や鋼材等の搭載に十分適したものであり、前記架台を物品搭載部に取り付ければ、前記架台の上面と、前記連結部の上面とが平坦な状態になるので、前記架台の緊締金具と前記連結部の緊締金具とに、コンテナの隅金具を緊締係合することができるので、物品搭載部から連結部にいたるまでコンテナを設置することができる、多用途トレーラを提供することができる。
【００１３】
さらに４０フィート型の長大なコンテナの搭載においても、トレーラ全体の長さを可能な限り抑えることができる。
【００１４】
前記架台は、前記多用途トレーラの前後方向に設けられた一対の縦フレームと、該縦フレームと直交して取り付けられた横はり部とを備えてなる構造体とすることができる。架台はコンテナ搭載に使用されるものであるから、フレームと梁とのシンプルな構造体とすることができる。
【００１５】
更にまた、前記架台は、前記多用途トレーラの前後方向に設けられた一対の縦フレームと、該縦フレームと直交して取り付けられた横はり部とを備えてなる、３分割された構造体であって、該構造体のそれぞれに一対の前記隅金具付緊締金具が設けられているものとすることができる。
【００１６】
架台を３分割にしたものとすれば、より軽量となるので着脱作業が容易となる。また３分割された構造体のそれぞれに一対の前記隅金具付緊締金具が取り付けられているので、前記平床にそれぞれ対応する緊締金具が設置されているので、着脱が容易となるので作業効率も向上する。
【００１７】
また前記３分割された構造体は、多用途トレーラの前記連結部に収納取り付け可能とすることができる。前記連結部に前記３分割された構造体を収納取り付けできれば、随時架台の着脱が可能となると共に、連結部への荷重となり重量バランスをとることができる。
【００１８】
更にまた、前記物品搭載部の両側端部および後端部には、前記物品搭載部の側壁部となる方形状の板部材である煽り板を軸着することができる。
【００１９】
上記煽り板を軸着することで、前記架台を設置していないときは、平床の物品搭載部に側壁を形成することができるので、一般雑貨や鋼材等の資材の搭載をより安全に行うことができる。
【発明の効果】
【００２０】
本発明の他用途トレーラによれば、平床であるから一般雑貨、鋼材等の搭載に適したものであると共に、架台を取り付ければ、架台の上面と連結部の上面とが平坦になるようになっているので、架台から連結部にいたるまでコンテナを搭載できるので、４０フィート型コンテナもトレーラ全体の長さを有効に使用することができる。
【００２１】
また架台を３分割することで、架台の着脱が容易となり、さらにこの３分割架台を連結部に収納設置すれば、随時着脱可能となると共に、連結部への荷重により重量バランスを容易に図る事が可能となる。
【発明を実施するための最良の形態】
【００２２】
以下、本発明を実施するための最良の形態としての実施例を示す。
【実施例１】
【００２３】
図１は本発明に係る多用途トレーラの実施例１を示した概略図で、（ａ）はその平面図。（ｂ）はその正面図である。図１（ａ）（ｂ）とも、架台はトレーラの物品搭載部に設置される前の状態で示されている。またけん引車であるトラクタ、搭載物品であるコンテナはそれぞれ図面中には鎖線で示されている。
【００２４】
図１（ａ）（ｂ）に示すように、本発明に係る多用途トレーラ１１は、平床の物品搭載部１２と、けん引車であるトラクタ１３（図１中鎖線で示す）に連結される連結部１５と、物品搭載部１２に着脱可能に取り付けられる架台１６とを備えてなるものである。
【００２５】
物品搭載部１２の上面は、より高い位置にある連結部１５の上面とは段差を有した低い位置にある。物品搭載部１２の構造は、多用途トレーラ１１の進行方向に向けて配置される一対のメインフレーム部１４ａ、１４ｂと、その上部に設置された平床面１７を有するものである。なおメインフレーム部１４ａ、１４ｂ相互間には、補強のための横梁（図示せず）が設けられている。
【００２６】
平床面１７にはコンテナの下部四隅に取付けられた隅金具（図示せず）とツイストロック式に緊締係合する３対の緊締金具２１ａ、２１ｂ、２１ｃ、２１ｄ、２１ｅ、２１ｆがトレーラの進行方向左右対称に設置されている。
【００２７】
連結部１５は、その上面が物品搭載部１２の平床面１７よりも高い位置にあり、いわゆるグースネックと呼ばれる上下に段差を有する屈曲構造を有するものである。これは物品搭載部１２の平床面１７の高さを低い位置に設けるためと、連結部１５の先端側下面に位置するカップリングピン２３が、けん引車であるトラクタ１３の後部にあるカップラ２５に挿入設置されることで連結状態となることから生じるものである。
【００２８】
また連結部１５のトラクタ１３側には横梁２６が左右突出して設けられ、その先端にそれぞれ緊締金具２１ｇ、２１ｈが設置されている。この緊締金具２１ｇ、２１ｈと平床面１７の後端側に設置された緊締金具２１ｅ、２１ｆとが４０フィートコンテナの４個の隅金具（図示せず）と対応する位置に配置されており、他の緊締金具２１ａ、２１ｂ、２１ｃ、２１ｄは、２０フィートコンテナの４個の隅金具（図示せず）と対応する位置に配置されている。
【００２９】
架台１６は、一対のフレーム３１ａ、３１ｂと、これに垂直に交差して突出する横梁３２ａ、３２ｂ、３２ｃとで構成されており、横梁３２ａ、３２ｃが先端、３２ｃが後端、３２ｂがその間に配置されて、全体として長方形状の柵状態になっている。
【００３０】
また、架台１６の高さは、物品搭載部１２の平床面１７に設置されたときに、架台１６の上面が連結部１５の上面と略平坦になるように設定されている。この略平坦の程度は、架台１６と連結部１５とに同一のコンテナを安定的に搭載可能な程度に平坦であることを意味する。
【００３１】
横梁３２ａ、３２ｂ、３２ｃの先端には、隅金具を下部に緊締金具を上部にして組合わされた隅金具付緊締金具３３ａ、３３ｂ、３３ｃ、３３ｄ、３３ｅ、３３ｆがそれぞれ設けられている。この隅金具付緊締金具３３ａ、３３ｂ、３３ｃ、３３ｄ、３３ｅ、３３ｆ（以下、適宜「隅金具付緊締金具３３」略す）は、その下部の隅金具が平床面に取付けられた緊締金具２１ａ、２１ｂ、２１ｃ、２１ｄ、２１ｅ、２１ｆとそれぞれ緊締係合するようになっていて、その上部の緊締金具がコンテナの隅金具と同じく緊締係合するようになっている。
【００３２】
図５は緊締金具と隅間具との緊締係合の関係を表した一例で、平床面１７に設置された緊締金具２１ａと、架台１６に取付けられた隅金具付緊締金具３３ａと、コンテナの隅金具との関係を模式的に表した側面図である。
【００３３】
図５に示すように、緊締金具２１ａはツイストロック式の緊締具であり、その上部位置にある山形薄板状の係合部３５と、この係合部３５を回転させて隅金具（隅金具付緊締金具３３ａの下部）と緊締係合させるレバー３６とを備えてなるものである。
【００３４】
架台１６に取付けられた隅金具付緊締金具３３ａの下部に位置する隅金具３８が、矢示３７の向き（下向き）に移動設置され、緊締金具２１ａの係合部３５と緊締係合するようになっている。また隅金具付緊締金具３３ａの上部に位置する緊締金具３９の係合部４０もコンテナの下部隅に位置する隅金具４１が矢示４２の向き（下向き）に移動設置され、レバー４３の回転により緊締係合するようになっている。
【００３５】
次に、本発明に係る多用途トレーラの実施例１について、その動作を図１、図５を参照して説明する。
【００３６】
多用途トレーラ１１をコンテナの搭載に使用するときは、架台１６を物品搭載部１２に取付ける。取り付けは、上記したように架台１６に取付られている隅金具付緊締金具３３ａ、３３ｂ、３３ｃ、３３ｄ、３３ｅ、３３ｆの隅金具を、平床面１７の緊締金具２１ａ、２１ｂ、２１ｃ、２１ｄ、２１ｅ、２１ｆに緊締係合して取り付ける。具体的には緊締金具２１ａ、２１ｂ、２１ｃ、２１ｄ、２１ｅ、２１ｆのレバー３６（３６ａ〜３６ｆ）を回転させてその係合部３５（３５ａ〜３６ｆ）を隅金具付緊締金具３３ａ、３３ｂ、３３ｃ、３３ｄ、３３ｅ、３３ｆの隅金具にツイストロック式に緊締係合するものである。
【００３７】
架台１６は図１（ａ）の矢示５１の方向、図１（ｂ）の矢示５２の方向に移動、設置される。
【００３８】
設置後の架台１６の上面と、連結部１５の上面とは略平坦な状態となるように架台１６の高さが設定されているので、４０フィートコンテナのような長いものでも架台１６と連結部１５とにまたがって搭載することが可能となる。この場合、４０フィートコンテナの下部四隅に位置する隅金具（図示せず）は、連結部１５の横梁２６の端部に設けられた緊締金具２１ｇと２１ｈ、および架台１６の後端に設けられた隅金具付緊締金具２１ｅと２１ｆとに、緊締係合するので、４０フィートコンテナ（図１（ｂ）の鎖線で示す６１）が安定的に搭載される。
【００３９】
そして４０フィートコンテナのように長いコンテナであっても、トレーラの連結部１５にも搭載することで、トレーラの長さを有効利用することができる。
【００４０】
また２０フィートコンテナの搭載の場合は、隅金具付緊締金具３３ａ、３３ｂ、３３ｃ、３３ｄに２０フィートコンテナ（図１（ｂ）の鎖線で示す６２）の隅金具（図示せず）を緊締係合することで、安定的に搭載することができる。
【００４１】
架台１６を物品搭載部１２の平床面１７に設置しない状態のときは、一般雑貨や鋼材等の搭載に使用することができ、さらに平床面に設けた緊締金具２１ａ、２１ｂ、２１ｃ、２１ｄに直接２０フィートコンテナを緊締係合することもできる。
【００４２】
このように、平床のトレーラの物品搭載部１２に架台１６を着脱可能に取付けて、連結部１５と平坦にすることで、長大な４０フィートコンテナを搭載可能とし、また架台１６を取り外せば平床のトレーラとして一般雑貨や鋼材等の搭載にも利用できる、多用途トレーラとして使用できる。
【００４３】
なお図１では、多用途トレーラ１１は伸縮式の補助脚６３ａ、６３ｂを使用して自立した状態を表しているが、トラクタ１３にけん引されて走行するときは、この補助脚６３ａ、６３ｂは格納される。
【実施例２】
【００４４】
次に本発明に係る多用途トレーラの他の実施例（実施例２）について説明する。説明は実施例１と相違する点を中心にして、共通部分は省略する。図２は実施例２を表したもので、（ａ）はその平面図、（ｂ）はその正面図である。
【００４５】
実施例２は、実施例１の物品搭載部１２の左右側面と後端に、側壁部となる方形状の板部材である煽り板６５ａ、６５ｂ、６５ｃ（以下、適宜「煽り板６５」と略す。）を枢着したものである。煽り板６５ａ、６５ｂ、６５ｃは、それぞれ複数個の蝶番６６により物品搭載部１２の端部に１８０度回動可能に、枢着されたものである。
【００４６】
煽り板６５は、その使用時には垂直に立ち上げて、係合部材（図示せず）により係合固定することで、物品搭載部１２の側壁となるものである。この側壁の存在により一般雑貨、鋼材等の搭載を安定して行うことができるものである。
【００４７】
また架台１６にコンテナを搭載するときは、この煽り板６５は係合部材（図示せず）により下向きに垂下させておくことができる。
【００４８】
なお、図２では連結部１５に煽り板６５を備えていないが、連結部１５にも煽り板６５を枢着することができ、連結部１５を物品搭載部として利用することができる。
【実施例３】
【００４９】
次に本発明に係る多用途トレーラの他の実施例（実施例３）について説明する。説明は実施例１と相違する点を中心にして、共通部分は省略する。図３は実施例３を表したもので、（ａ）はその平面図、（ｂ）はその正面図である。
【００５０】
図３に示すように、実施例３が実施例１と相違する点は、架台１６を３分割した点である。そしてこの３分割した架台１６ａ、１６ｂ、１６ｃの不使用時には、連結部１５に取付けておくことである。
【００５１】
すなわち実施例１の架台１６のフレーム３１ａ、３１ｂをその途中でカットし、長さを調節して、それぞれ横梁３２ａ、３２ｂ、３２ｃを含む３つの部分に分け、カット面に横梁片３４ａ、３４ｂ、３４ｃを取付て、３つの架台１６ａ、１６ｂ、１６ｃとする。
【００５２】
そして架台１６ａ、１６ｂ、１６ｃの横梁３２ａ、３２ｂ、３２ｃに取りつられている隅金具付緊締金具３３ａ、３３ｂ、３３ｃ、３３ｄ、３３ｅ、３３ｆの隅金具が、それぞれ平床面１７の緊締金具２１ａ、２１ｂ、２１ｃ、２１ｄ、２１ｅ、２１ｆに緊締係合するようになっている。
【００５３】
したがって、架台１６ａ、１６ｂ、１６ｃが物品搭載部１２の平床面１７の緊締金具２１ａ、２１ｂ、２１ｃ、２１ｄ、２１ｅ、２１ｆに緊締係合されたあとは、実施例１と同様に４０フィートコンテナ、２０フィートコンテナの搭載設置が可能となる。
【００５４】
本実施例の特徴は、架台を３つに分割したので、各架台１６ａ、１６ｂ、１６ｃの重量が軽量になり、その着脱が容易となり、さらに不使用時には連結部１５に搭載することができるので、収納保管も容易となり、移動先での架台使用の要請に迅速に応じることができる。
【実施例４】
【００５５】
次に本発明に係る多用途トレーラの他の実施例（実施例４）について説明する。説明は実施例３と相違する点を中心にして、共通部分は省略する。図４は実施例４を表したもので、（ａ）はその平面図、（ｂ）はその正面図である。
【００５６】
実施例４は、実施例３の物品搭載部１２の左右側面と後端に、側壁部となる方形状の板部材である煽り板６５ａ、６５ｂ、６５ｃ（以下、適宜「煽り板６５」と略す。）を枢着したものである。煽り板６５ａ、６５ｂ、６５ｃは、それぞれ複数個の蝶番６６により物品搭載部１２の端部に１８０度回動可能に、枢着されたものである。
【００５７】
煽り板６５は、その使用時には垂直に立ち上げて、係合部材（図示せず）により係合固定することで、物品搭載部１２の側壁となるものである。この側壁の存在により一般雑貨、鋼材等の搭載を安定して行うことができるものである。
【００５８】
また図４では、連結部１５に煽り板を備えていないが、連結部１５にも煽り板６５を枢着することができる。煽り板６５の構造、機能は実施例２の場合と同様である。
【図面の簡単な説明】
【００５９】
【図１】本発明に係る多用途トラクタの実施例１の概略図で、（ａ）は平面図、（ｂ）は正面図。
【図２】本発明に係る多用途トラクタの実施例２の概略図で、（ａ）は平面図、（ｂ）は正面図。
【図３】本発明に係る多用途トラクタの実施例３の概略図で、（ａ）は平面図、（ｂ）は正面図。
【図４】本発明に係る多用途トラクタの実施例４の概略図で、（ａ）は平面図、（ｂ）は正面図。
【図５】緊締金具と隅間具との緊締係合の関係を表した模式図。
【図６】（ａ）従来のコンテナ用トレーラの平面図、（ｂ）同正面図。
【図７】（ａ）従来の平床トレーラの平面図、（ｂ）同正面図。
【符号の説明】
【００６０】
１１  多用途トラクタ
１２  物品搭載部
１５  連結部
１６  架台
２１  緊締金具（２１ａ〜２１ｇ）
３３  隅金具付緊締金具（３３ａ〜３３ｆ）
【図１】
2009001220.tif 000003
【図２】
2009001220.tif 000004
【図３】
2009001220.tif 000005
【図４】
2009001220.tif 000006
【図５】
2009001220.tif 000007
【図６】
2009001220.tif 000008
【図７】
2009001220.tif 000009